(57)【特許請求の範囲】
【請求項１】
受信した放送波を復調する復調手段と、
該復調手段により復調された復調信号に基づき表示手段に画像信号を出力する画像信号出力手段と、
前記復調信号に基づく元画像の縦横の表示画素数と、前記表示手段の縦横の画面画素数とに基づいて、前記元画像の表示内容全体を前記元画像の縦横比を変えることなく前記表示手段に表示させるように表示画素デ−タの間引き処理を行う間引き処理手段と、
該間引き処理手段により間引き処理された表示画素デ−タに基づき画像信号を生成する画像信号生成手段と、
前記表示画素数と前記画面画素数との縦横比が異なる場合に形成される余白領域を単色の塗りつぶし画像に設定する余白画像設定手段とを備えていることを特徴とするディジタル放送受信機。
【請求項２】
前記余白領域の色を設定するための余白色設定手段を備えていることを特徴とする請求項１記載のディジタル放送受信機。
【請求項３】
受信した放送波を復調する復調手段と、
該復調手段により復調された復調信号に基づき表示手段に画像信号を出力する画像信号出力手段と、
前記復調信号に基づく元画像の縦横の表示画素数と、前記表示手段の縦横の画面画素数とに基づいて、前記元画像の表示内容全体を前記元画像の縦横比を変えることなく前記表示手段に表示させるように表示画素デ−タの間引き処理を行う間引き処理手段と、
該間引き処理手段により間引き処理された表示画素デ−タに基づき画像信号を生成する画像信号生成手段と、
該画像信号生成手段により画像信号を生成させた後、前記表示手段の画面上の任意の位置を指定可能な入力手段からの位置指定信号が検出された場合に、該位置指定信号で指定された位置を略中心として前記復調信号に基づく元画像の縦横の表示画素数から前記表示手段の縦横の画面画素数分だけ切り出して再描画する再描画手段とを備えていることを特徴とするディジタル放送受信機。
【請求項４】
前記再描画手段が、前記表示手段の縦横の画面画素数分だけ切り出した領域から前記表示内容全体が表示される領域までの間で段階的に前記表示内容の表示領域を広げるように所定の間引き係数で間引き処理された表示画素デ−タを再描画するものであることを特徴とする請求項３記載のディジタル放送受信機。
【請求項５】
前記表示画素デ−タの間引き係数を設定するための間引き係数設定手段を備え、
前記再描画手段が、前記間引き係数設定手段により設定された間引き係数で前記元画像の縦横の表示画素数が間引き処理された表示画素デ−タを再描画するものであることを特徴とする請求項３又は請求項４記載のディジタル放送受信機。
【発明の詳細な説明】
【技術分野】
【０００１】
本発明はディジタル放送受信機に関し、より詳細には、受信した放送波を復調して得ら
れた復調信号に基づいて放送番組を表示手段に表示させることのできるディジタル放送受
信機に関する。
【背景技術】
【０００２】
現在、日本で放送が開始されているＢＳやＣＳのディジタル放送の特徴には、多チャン
ネル化、ハイビジョン放送による高画質及び高音質化、そしてデ−タ放送等の多様なサ−
ビスを提供できる高機能化が挙げられる。そして、これらの機能を実現するためのディジ
タル放送受信機やディジタル放送受信機が内蔵されたテレビジョン装置等が開発されてい
る。
【０００３】
ディジタル放送の最大の特徴であるハイビジョン放送の映像を忠実に再現させるには、
ハイビジョン放送の映像フォ−マットに対応した高精細の表示装置が必要であることから
、ディジタル放送受信機の機能向上とともに表示装置の大画面化及び高精細化が進んでお
り、ハイビジョン放送に対応した表示装置には、通常３０インチ以上の大型のディスプレ
イが採用されている。
【０００４】
また、ディジタル放送におけるデ−タ放送では、文字、図形、静止画、映像、及び音声
等の各種モノメディアの合成表示や提示進行の制御を行うためのデ−タ放送に適したマル
チメディア符号化方式が定められている。例えば、ＢＳディジタル放送では、インタ−ネ
ットと親和性のよいＸＭＬ（eXtensible Markup Language) をベ−スにして、放送に必要
な機能が追加されたＢＭＬ（Broadcast Markup Language ）という記述言語が採用され、
ＢＭＬで記述されたデ−タ放送番組の映像・デ−タ信号が、他の番組の映像や音声信号と
ともに多重化され、放送局側から送られてくる。
【０００５】
そして、ディジタル放送受信機には、ＢＭＬを解釈して表示するツ−ルであるＢＭＬブ
ラウザが搭載されており、ＢＭＬブラウザにより受信したＢＭＬが解釈され、表示手段に
表示されるようになっている。
【０００６】
ＢＭＬで記述されたデ−タ放送番組は、例えばＨＤモ−ド（アスペクト比１６：９の表
示モ−ド）の場合、縦５４０×横９６０画素の解像度の情報として送られてくる。そして
、ディジタル放送受信機における番組の表示処理時に、縦横２倍して元画像の縦横の表示
画素数を縦１０８０×横１９２０画素の映像フォ−マットに変換して表示されるようにな
っている。
【０００７】
したがって、ディジタル放送受信機がハイビジョン放送に対応した大画面、高精細の表
示装置に接続され、各種モノメディアを含むデ−タ放送番組が表示される場合は、小さな
文字、記号、図形等でもくっきりと映し出すことができるようになっている。
【０００８】
ＢＳ、ＣＳディジタル放送以外に、現在、地上波ディジタル放送の準備が進められてい
る。地上波ディジタル放送では、現行のアナログ放送においてゴ−スト障害の原因として
問題となっているマルチパス妨害に強い変調方式が採用されるため、携帯テレビ用のディ
ジタル放送受信機や、移動体用のディジタル放送受信機でも高画質の受信が可能と言われ
ている。
【０００９】
ところで、車内に小型のディスプレイを設置してテレビジョン放送を視聴するニ−ズは
現在でも根強いものがあり、現行のアナログ放送が地上波ディジタル放送に切り換えられ
たとしても車内におけるテレビジョン放送の視聴ニ−ズは、変わらず高いものと思われる
。しかも上記のように現行のアナログ放送より安定した電波受信が可能で、ゴ−スト障害
のような表示画像の乱れが少なくなると言われていることから、視聴を希望するユ−ザが
さらに増えるものと思われる。
【００１０】
これら多くのユ−ザが、車内等でディジタル放送を視聴する場合でも、家などでディジ
タル放送を視聴する場合と同様に高機能なサ−ビスが利用できることを望んでいることは
容易に推測でき、車内でもディジタル放送の特徴の一つであるデ−タ放送番組を視聴した
いというニ−ズは、高いものと思われる。
【００１１】
しかしながら、車内では、ディスプレイの設置場所等が限られるという問題もあり、家
庭用のような大画面のディスプレイを設置することは困難で、必然的に小型（１０インチ
以下）で、解像度の低い（例えば縦２４０×横４８０画素程度）ディスプレイが設置され
る場合がほとんどであり、デ−タ放送番組を選択した場合には、各種モノメディアで合成
された画像が小型で低解像度のディスプレイに表示されることになる。
【００１２】
したがって、ハイビジョン放送に対応した映像フォ−マットの表示画素数から構成され
たデ−タ放送番組を小型で低解像度のディスプレイに表示させた場合には、ディスプレイ
自体が小さいために文字等が小さく表示され、また、ディスプレイの画面画素数が少なく
、該画面画素数の縦横比が前記映像フォ−マットと異なる場合も多いために、前記映像フ
ォ−マットの表示画素数を適当に間引いて表示すると、文字の一部が欠落したり、内容が
歪んで表示されたりして、見ずらく、内容が把握しずらくなるという課題があった。
【発明の開示】
【課題を解決するための手段及びその効果】
【００１３】
本発明は上記課題に鑑みなされたものであって、小型で解像度の低い（画面画素数の少
ない）表示装置に対して、ディジタル放送の番組、特にデ−タ放送番組の内容を見やすく
表示させることのできるディジタル放送受信機を提供することを目的としている。
【００１４】
上記目的を達成するために本発明に係るディジタル放送受信機（１）は、受信した放送
波を復調する復調手段と、該復調手段により復調された復調信号に基づき表示手段に画像
信号を出力する画像信号出力手段と、前記復調信号に基づく元画像の縦横の表示画素数を
、前記表示手段の縦横の画面画素数に応じて、前記元画像の表示内容全体を前記表示手段
に表示させるように表示画素デ−タの間引き処理を行う間引き処理手段と、該間引き処理
手段により間引き処理された表示画素デ−タに基づき画像信号を生成する画像信号生成手
段と、前記表示画素数と前記画面画素数との縦横比が異なる場合に形成される余白領域を
単色の塗りつぶし画像に設定する余白画像設定手段とを備えていることを特徴としている
。
【００１５】
上記目的を達成するために本発明に係るディジタル放送受信機（１）は、受信した放送波を復調する復調手段と、該復調手段により復調された復調信号に基づき表示手段に画像信号を出力する画像信号出力手段と、前記復調信号に基づく元画像の縦横の表示画素数と、前記表示手段の縦横の画面画素数とに基づいて、前記元画像の表示内容全体を前記元画像の縦横比を変えることなく前記表示手段に表示させるように表示画素デ−タの間引き処理を行う間引き処理手段と、該間引き処理手段により間引き処理された表示画素デ−タに基づき画像信号を生成する画像信号生成手段と、前記表示画素数と前記画面画素数との縦横比が異なる場合に形成される余白領域を単色の塗りつぶし画像に設定する余白画像設定手段とを備えていることを特徴としている。
【００１６】
上記ディジタル放送受信機（１）によれば、前記表示手段が小型で、画面画素数の少ない解像度の低いものであっても、前記復調信号に基づく元画像の表示内容全体を前記元画像の縦横比を変えることなく歪なく表示させることができる。したがって、視聴者（使用者）は、小さくて低解像度の画面でも違和感を感じることなく表示内容全体を視認することができる。また、表示内容が表示されない前記余白領域を単色の塗りつぶし画像に設定することができ、前記余白領域であることを視聴者に分かりやすく示すことができる。
【００１７】
上記ディジタル放送受信機（２）によれば、前記余白領域の色を使用者の好みの色や表
示内容を見やすい色などに設定することができ、また、使用者独自のカラ−リングによる
演出を楽しむことができる。
【００１８】
また本発明に係るディジタル放送受信機（３）は、受信した放送波を復調する復調手段と、該復調手段により復調された復調信号に基づき表示手段に画像信号を出力する画像信号出力手段と、前記復調信号に基づく元画像の縦横の表示画素数と、前記表示手段の縦横の画面画素数とに基づいて、前記元画像の表示内容全体を前記元画像の縦横比を変えることなく前記表示手段に表示させるように表示画素デ−タの間引き処理を行う間引き処理手段と、該間引き処理手段により間引き処理された表示画素デ−タに基づき画像信号を生成する画像信号生成手段と、該画像信号生成手段により画像信号を生成させた後、前記表示手段の画面上の任意の位置を指定可能な入力手段からの位置指定信号が検出された場合に、該位置指定信号で指定された位置を略中心として前記復調信号に基づく元画像の縦横の表示画素数から前記表示手段の縦横の画面画素数分だけ切り出して再描画する再描画手段とを備えていることを特徴としている。
【００１９】
上記ディジタル放送受信機（３）によれば、前記表示手段に前記表示内容全体が前記元画像の縦横比を変えることなく表示されている状態から、前記入力手段を介して指定された位置の表示内容を部分拡大して表示させることができる。したがって、表示内容が見ずらい場合があっても、見たい位置を前記入力手段を介して指定するだけで、その部分を簡単に拡大表示させることができ、前記表示手段が小型のものであっても、表示内容を部分拡大して表示することで、その内容を見やすくすることができる。
【００２０】
また本発明に係るディジタル放送受信機（４）は、上記ディジタル放送受信機（３）に
おいて、前記再描画手段が、前記表示手段の縦横の画面画素数分だけ切り出した領域から
前記表示内容全体が表示される領域までの間で段階的に前記表示内容の表示領域を広げる
ように所定の間引き係数で間引き処理された表示画素デ−タを再描画するものであること
を特徴としている。
【００２１】
上記ディジタル放送受信機（４）によれば、前記表示手段の縦横の画面画素数分だけ切
り出した部分拡大の表示状態から前記表示内容全体が表示される状態まで段階的に前記表
示内容の表示領域を広げていくことができ、例えば、前記部分拡大の表示では、内容が拡
大されすぎた場合に、その内容に応じた読みやすい適切な大きさに表示させることができ
、また前記部分拡大された表示部分の周辺の内容も見やすく表示させることができる。
【００２２】
また本発明に係るディジタル放送受信機（５）は、上記ディジタル放送受信機（３）又
は（４）において、前記表示画素デ−タの間引き係数を設定するための間引き係数設定手
段を備え、前記再描画手段が、前記間引き係数設定手段により設定された間引き係数で間
引き処理された表示画素デ−タを再描画するものであることを特徴としている。
【００２３】
上記ディジタル放送受信機（５）によれば、前記間引き係数設定手段により使用者が任
意の間引き係数を設定することができる。また、設定された間引き係数で間引き処理され
た表示画素デ−タが再描画されるので、前記表示手段の縦横の画面画素数分だけ切り出し
た部分拡大の表示状態から使用者の好みに応じた見やすい大きさとなるように表示内容を
表示させることができる。
【発明を実施するための最良の形態】
【００２４】
以下、本発明に係るディジタル放送受信機の実施の形態を図面に基づいて説明する。図
１は、実施の形態（１）に係るディジタル放送受信機の要部を概略的に示したブロック図
である。
【００２５】
チュ−ナ１はアンテナ１ａで受信した受信電波からユ−ザの希望する放送波をチュ−ニ
ングして増幅するもので、高周波増幅回路、同調回路等を含んで構成されている。復調部
２は、チュ−ナ１によりチュ−ニングされた受信波を復調してディジタル信号を出力する
もので、例えば、地上波ディジタルテレビ放送ではＯＦＤＭ（Orthogonal Frequency Div
ision Multiplexing）変調された放送波をＯＦＤＭ復調するＯＦＤＭ復調回路等を含んで
構成されている。
【００２６】
ＴＳ（Transport Stream) デコ−ド部３は、ＯＦＤＭ復調されたディジタル信号をデコ
−ド（解読）するもので、つまり、放送局での変調前に伝送エラ−防止処理、圧縮処理、
結合処理等が施されたディジタル信号を元のディジタル信号に戻すもので、論理回路、デ
ィジタルシグナルプロセッサ等により構成されている。そして、ＴＳデコ−ド部３により
デコ−ドされたディジタル信号は、音声デ−タ、映像デ−タ、デ−タ放送用デ−タとして
各々音声デコ−ド部４、映像デコ−ド部５、ＢＭＬデコ−ド部６に出力される。
【００２７】
音声デコ−ド部４はＴＳデコ−ド部３からの音声デ−タのデコ−ドを行うもので、つま
り音声デ−タに施された伝送エラ−防止処理、圧縮処理等に対応したデ−タエラ−の復元
処理、伸張処理等のディジタル演算処理を行い、本来の音声デ−タに復元するもので、論
理回路、ディジタルシグナルプロセッサ等を含んで構成されている。音声デコ−ド部４か
ら出力された音声信号は、ディジタル／アナログ変換、電力増幅（図示せず）が行なわれ
、スピ−カ１４から音声として出力されるようになっている。
【００２８】
映像デコ−ド部５はＴＳデコ−ド部３からの映像デ−タのデコ−ドを行うもので、つま
り映像デ−タに施された伝送エラ−防止処理、圧縮処理等に対応したデ−タエラ−の復元
処理、伸張処理等のディジタル演算処理を行い、本来の映像デ−タに復元するもので、論
理回路、ディジタルシグナルプロセッサ等を含んで構成されている。
【００２９】
映像デコ−ド部５から出力された映像信号は、加算器７で他の画像デ−タとの合成・切
換処理等の処理が施され、接続端子（図示せず）を介して接続された液晶表示装置等で構
成された小型ディスプレイ１５に表示されるようになっている。
【００３０】
ＢＭＬデコ−ド部６は、ＴＳデコ−ド部３からのＢＭＬで記述されたデ−タ放送用デ−
タのデコ−ドを行うもので、つまりデ−タ放送用デ−タに施された伝送エラ−防止処理、
圧縮処理等に対応したデ−タエラ−の復元処理、伸張処理等のディジタル演算処理を行い
、本来のデ−タ放送用デ−タ（ＢＭＬで記述されたデ−タ）に復元するもので、論理回路
、ディジタルシグナルプロセッサ等を含んで構成されている。復元されたデ−タ放送用デ
−タ（ＢＭＬ文書）は、ＲＯＭ１０に格納されているＢＭＬブラウザによりＣＰＵ９で処
理され、描画処理命令が描画処理部８に供給されるようになっている。
【００３１】
描画処理部８は、ＢＭＬデコ−ド部６から出力されたデ−タ放送用の映像・デ−タ信号
、及びＣＰＵ９から供給される描画処理命令に基づいて、ＢＭＬで指定されている元画像
の表示画素デ−タの間引き処理、文字デ−タの再描画処理、及び文字図形や静止画等の他
の画像デ−タとの合成処理等を行い、間引き処理された表示画素デ−タに基づき画像信号
（描画デ−タとも記す）を生成し、描画処理部８に内蔵されているＶＲＡＭ（図示せず）
に描画デ−タを書き込んで、このＶＲＡＭに書き込まれた描画デ−タを加算器７を介して
小型ディスプレイ１５に出力するもので、描画プロセッサ等により構成されている。
【００３２】
ディジタル放送受信機の各部の動作を制御するのがマイクロコンピュ−タであり、マイ
クロコンピュ−タは演算処理を行う中央演算処理装置（ＣＰＵ）９、ＢＭＬ文書を解釈し
て表示するツ−ルであるＢＭＬブラウザや描画処理部８で行われる表示制御プログラムな
どの各種のプログラムや文字の種類やサイズ等のデ−タなどの各種のデ−タが記憶された
ＲＯＭ１０、各種デ−タの一時記憶を行うＲＡＭ１１等を含んで構成されている。
【００３３】
また、バスラインＢＬには、モデム１２が接続され、ディジタル放送受信機は、外部と
の通信、例えばディジタルテレビ放送局との通信により、あるいはインタ−ネットのコン
テンツから番組デ−タやダウンロ−ドデ−タ（プログラム等を含む）を得ることができる
ようになっている。
【００３４】
さらに、バスラインＢＬには入出力インタ−フェイス（Ｉ／Ｏ）１３が接続され、外部
機器との接続が可能となっている。例えば、小型ディスプレイ１５上に設けれられたタッ
チパネル１６からの入力信号を取り込んで、該入力信号に応じた動作を行うようになって
おり、ユ−ザはタッチパネル１６を操作することによりディジタル放送受信機に所望の動
作を行わせることが可能となっている。
【００３５】
次に、小型ディスプレイ１５へのデ−タ放送番組の表示方法について図２に基づいて説
明する。なお、デ−タ放送番組には、テレビ放送や音声放送を補完する付加デ−タ放送や
、テレビ放送や音声放送とは独立した独立デ−タ放送が含まれており、これら付加デ−タ
放送及び独立デ−タ放送の映像・デ−タ信号は、ＢＭＬで記述されたデ−タとして送られ
てくるものである。
【００３６】
図２（ａ）は、受信したデ−タ放送番組の表示画素デ−タの一例を説明するための説明
図である。図２（ｂ）は、図２（ａ）に示した表示画素デ−タのデ−タ放送番組を縦２４
０×横４８０の画面画素数を有する小型ディスプレイ１５に表示させたときの表示例を示
している。また図２（ｃ）は、図２（ａ）に示した表示画素デ−タのデ−タ放送番組を縦
２７０×横４８０の画面画素数を有する小型ディスプレイ１５に表示させたときの表示例
を示している。
【００３７】
図２（ａ）に示したデ−タ放送番組の表示画素デ−タは、ＢＭＬの表示モ−ドがＨＤモ
−ド（縦５４０×横９６０画素）で、表示処理時に縦横２倍に拡大して、元画像の縦横の
表示画素数を縦１０８０×横１９２０画素の映像フォ−マットに変換して表示させること
ができるものとなっている。
【００３８】
このような元画像が縦１０８０×横１９２０の表示画素数のデ−タ放送番組を図２（ｂ
）に示した縦２４０×横４８０、あるいは図２（ｃ）に示した縦２７０×横４８０のよう
な画面画素数の圧倒的に少ない小型ディスプレイ１５に表示する場合は、縦１０８０×横
１９２０画素の表示画素デ−タを間引いて表示する必要があり、そのための間引き係数が
算出される。
【００３９】
この場合の間引き係数は、小型ディスプレイ１５の縦横の画面画素数を元画像となるデ
−タ放送番組の縦横の表示画素数（縦１０８０×横１９２０）で割って、小型ディスプレ
イ１５の縦横の画面画素数を１とした場合におけるデ−タ放送番組の縦横の表示画素数の
比として算出される。
【００４０】
図２（ｂ）に示した縦２４０×横４８０の画面画素数を有する小型ディスプレイ１５の
場合、縦方向の間引き係数は、２４０／１０８０＝１／４．５となり、横方向の間引き係
数は、４８０／１９２０＝１／４となる。このように縦と横の間引き係数が同一の値とな
らない場合は、デ−タ放送番組の内容全体の縦横比を変えずに、縦１０８０×横１９２０
画素の表示画素デ−タの間引き処理が容易に行えるように間引き係数を縦横ともに分母を
同一の整数値となるように補正を行う。すなわち、この場合、縦横の間引き係数を１／５
に補正する。
【００４１】
この補正により小型ディスプレイ１５上には、縦１０８０／５＝２１６画素、横１９２
０／５＝３８４画素でデ−タ放送番組の縦横比を変更することなく間引き処理された番組
内容全体を歪なく表示させることができる。
【００４２】
また、図２（ｂ）において、番組内容が表示されていない余白領域（斜線部分）は、単
色の塗りつぶし画像となるように余白色が設定されるようになっている。また、余白色が
視聴者の好みで設定できるようになっていてもよく、例えば、余白色の設定画面を設けて
、Ｒ（赤）、Ｇ（緑）、Ｂ（青）の各色を８ビットの２５６階調で表示できるようにして
任意のＲ、Ｇ、Ｂ値の設定ができるようにしたり、あるいは予め設定された配色の中から
好みの色を選択できるような設定画面を設けることも可能である。
【００４３】
また、デ−タ放送番組では、文字や図形等の情報が多く含まれており、単純に表示画素
デ−タを間引いて表示した場合には、文字や図形等の一部が欠けたりして、見ずらくなる
場合もあるが、本実施の形態では、ＢＭＬで指定されている文字のサイズに上記方法で算
出した間引き係数を掛けて、表示用の文字サイズを決定するようになっている。
【００４４】
そして、決定された表示用の文字サイズに該当するサイズの文字をＲＯＭ１０内のフォ
ントＲＯＭ（図示せず）から読み出し、読み出した文字をＶＲＡＭに書き込まれた描画デ
−タ上に間引き処理せずに上書きするようになっている。
【００４５】
例えば、ＢＭＬ文書で指定されている文字サイズが３０ドット（縦３０ドット、横３０
ドット）であった場合、表示用の文字サイズを３０／５＝６ドットに変換し、６ドットの
文字をフォントＲＯＭから読み出し、間引き処理された描画デ−タ上に間引き処理せずに
上書きする。また、変換した文字サイズに対応する文字がフォントＲＯＭにない場合には
、前記文字サイズに近いサイズの文字がフォントＲＯＭから読み出されるようになってい
る。
【００４６】
尚、表示用の文字サイズの決定方法は、上記した乗算による方法の他に、指定文字サイ
ズと間引き係数とをパラメ−タとする表示用文字サイズのデ−タが記憶されたテ−ブルか
ら読み出す方法等を採用することもできる。
【００４７】
また、図２（ｃ）に示した縦２７０×横４８０の画面画素数を有する小型ディスプレイ
１５の場合、縦方向の間引き係数は、２７０／１０８０＝１／４、横方向の間引き係数は
４８０／１９２０＝１／４と算出される。このように縦横の間引き係数がともに分母が整
数値で同一の値となった場合は、その値を間引き係数として使用する。
【００４８】
したがって、小型ディスプレイ１５上には、縦１０８０／４＝２７０画素、横１９２０
／４＝４８０画素でデ−タ放送番組の元画像の縦横比を変更することなく間引き処理され
た番組内容全体を、図２（ｂ）のように余白領域を生じることなく表示させることができ
る。また、文字の表示は、図２（ｂ）における説明と同様の処理により、表示用の文字サ
イズを決定し、該表示用の文字サイズに該当するサイズの文字をフォントＲＯＭから読み
出して、間引き処理された描画デ−タ上に間引き処理せずに上書きされるようになってい
る。
【００４９】
また、別の文字の描画方法としては、フォントＲＯＭに文字の書体デ−タのみを記憶さ
せておき、表示させる文字の書体デ−タを読み出し、該書体デ−タに基づいてベクトル演
算を行って、上記と同様の処理により決定された文字サイズの文字を作成し、後は上記と
同様に、間引き処理された描画デ−タ上に文字を上書きするようにしてもよい。この場合
は、ベクトル演算により適切な文字サイズで見やすい文字として表示させることができ、
また、文字の書体デ−タのみ記憶させておけば良く、記憶する文字デ−タ量を少なくする
ことができる。
【００５０】
次に実施の形態（１）に係るディジタル放送受信機におけるＣＰＵ９の行うデ−タ放送
番組の表示処理動作を図３に示したフロ−チャ−トに基づいて説明する。なお、本処理は
、デ−タ放送番組が選択された時に実行される。
【００５１】
まず、ステップＳ１では、ＢＭＬで指定された元画像となるデ−タ放送番組の縦横の表
示画素数のデ−タと、小型ディスプレイ１５の縦横の画面画素数のデ−タとを取り込み、
ステップＳ２に進む。
【００５２】
ステップＳ２では、デ−タ放送番組の縦横の表示画素数と小型ディスプレイ１５の縦横
の画面画素数とを比較して、間引き係数を算出する処理、すなわち、縦横の画面画素数を
それぞれ１とした場合におけるデ−タ放送番組の縦横の表示画素数の比「１／表示画素数
の比」を縦横でそれぞれ求める処理を行い、ステップＳ３に進む。
【００５３】
ステップＳ３では、算出された縦横の各間引き係数が、ともに同一の整数分の１である
か否かを判断し、縦横ともに同一の整数分の１であると判断すれば、ステップＳ５に進む
。一方、ステップＳ３において、間引き係数が、縦横ともに同一の整数分の１ではないと
判断すれば、ステップＳ４に進む。
【００５４】
ステップＳ４では、間引き係数が縦横ともに整数分の１となるように、分母の値を四捨
五入した整数値に補正する処理を行い、縦横の間引き係数を同じ値にして、その後ステッ
プＳ５に進む。
【００５５】
ステップＳ５では、算出された間引き係数に基づいて、小型ディスプレイ１５にデ−タ
放送番組の番組内容全体を表示する表示画素サイズを算出する処理を行い、ステップＳ６
に進む。
【００５６】
ステップＳ６では、表示画素サイズが小型ディスプレイ１５の画面画素サイズと同じで
あるか否かを判断し、表示画素サイズが小型ディスプレイ１５の画面画素サイズと同じで
あると判断すれば、ステップＳ９に進む。
【００５７】
一方、ステップＳ６において、表示画素サイズが小型ディスプレイ１５の画面画素サイ
ズと同じでないと判断すれば、ステップＳ７に進み、ステップＳ７では、表示画素サイズ
と画面画素サイズとを比較して余白領域の算出処理を行い、ステップＳ８に進む。ステッ
プＳ８では、余白領域の塗りつぶし色の設定処理を行い、その後ステップＳ９に進む。
【００５８】
ステップＳ９では、算出された間引き係数、余白領域、及び設定された余白色等を含む
表示関連デ−タをＲＡＭ１１に記憶する処理を行い、ステップＳ１０に進む。
【００５９】
ステップＳ１０では、間引き係数に基づいてデ−タ放送番組の番組内容全体を小型ディ
スプレイ１５に表示させるようにデ−タ放送番組のＢＭＬで指定された元画像の表示画素
デ−タ（図２（ａ）における縦１０８０×横１９２０の表示画素数）の間引き処理を行い
、ステップＳ１１に進む。ステップＳ１１では、間引き処理された表示画素デ−タに基づ
き生成された画像信号である描画デ−タをＶＲＡＭに書き込む描画処理を行い、ステップ
Ｓ１２に進む。
【００６０】
ステップＳ１２では、小型ディスプレイ１５に表示する文字サイズの決定処理を行う。
すなわち、デ−タ放送番組のＢＭＬで指定された文字のサイズに算出した間引き係数を掛
けて、小型ディスプレイ１５に表示する文字サイズを決定し、ステップＳ１３に進む。
【００６１】
ステップＳ１３では、算出された表示文字サイズに該当する文字をフォントＲＯＭから
読み出す処理を行い、ステップＳ１４に進む。ステップＳ１４では、決定された表示文字
サイズに該当する文字があるか否かを判断し、該当する文字があると判断すれば、ステッ
プＳ１６に進む。
【００６２】
一方、ステップＳ１４において、該当する文字がないと判断すれば、ステップＳ１５に
進み、ステップＳ１５では、表示文字サイズに最も近いサイズの文字の読み出し処理を行
い、その後ステップＳ１６に進む。
ステップＳ１６では、ＶＲＡＭに書き込まれた描画デ−タ上に読み出した文字を間引き
処理せずに上書きする処理を行い、ステップＳ１７に進む。
【００６３】
ステップＳ１７では、ＶＲＡＭに書き込まれた描画デ−タを加算器７に出力し、必要な
映像信号を加算して小型ディスプレイ１５に出力し、図２（ｂ）又は（ｃ）に示したよう
にデ−タ放送番組の元画像の番組内容全体を小型ディスプレイ１５に表示させる処理を行
い、その後ステップ１８に進む。
【００６４】
ステップＳ１８では、デ−タ放送番組の再描画指示があったか否か、すなわちユ−ザか
らの所定の入力に対応して現在表示している内容を一部変えたりする動的な制御を行う指
示があったか、あるいはＢＭＬの各要素の内容や属性の値をスクリプト言語で操作して変
更する指示があったか否かを判断し、このような再描画指示があったと判断すれば、ステ
ップＳ１０に戻り、同じ間引き係数を使用して、デ−タ放送番組の表示処理を繰り返す。
一方、ステップＳ１８においてデ−タ放送番組の再描画指示がなかったと判断すれば、
処理を終了する。
【００６５】
次に、小型ディスプレイ１５に表示されたデ−タ放送番組の表示領域切換表示（１）に
ついて、図４に示した表示例に基づいて説明する。
上記した小型ディスプレイ１５へのデ−タ放送番組の表示処理によれば、デ−タ放送番
組の元画像の番組内容全体を歪なく、そして文字欠けや潰れ等もなく表示させることがで
きる。しかしながら、小型ディスプレイ１５であるために、表示内容全体を表示した場合
には、必然的に表示内容が小さく表示されることとなり、小さな文字等は見ずらくなって
しまう。そこで、図４に示した表示領域の切換表示により、小さな文字等の見ずらさを解
消できるものとなっている。
【００６６】
図４（ａ）は、縦２４０×横４８０の画面画素数を有する小型ディスプレイ１５にデ−
タ放送番組の番組内容全体が表示されている状態を示している。図４（ａ）の状態で、ユ
−ザによりタッチパネル１６を介して所定の位置がタッチされると、図４（ｂ）の画面に
切り換えられる。
【００６７】
図４（ｂ）では、タッチされた位置を中心にしてＢＭＬで指定された元画像の表示画素
数（縦１０８０×横１９２０）のデ−タから画面画素数（縦２４０×横４８０）のデ−タ
分だけ切り出して間引き処理せずに表示されるようになっている。そして、図４（ｂ）の
状態で、所定時間が経過すると、図４（ａ）に示した画面表示に切り換えられるようにな
っている。
【００６８】
なお、前記所定時間は、予め所定値（例えば５秒程度）に設定されていても良いし、前
記所定時間の設定画面を設けておいて、ユ−ザが利用形態に合わせて好みの時間を設定で
きるようにしておいても良い。あるいは、ディジタル放送受信機に車速センサ等からの車
速情報の取り込みが可能な端子（図示せず）を設けておき、ディジタル放送受信機が車両
に取り付けられた場合に、前記端子に接続された車速センサ等からの車速情報を取り込み
、取り込んだ車速情報に応じて、例えば、停車時、低速時、及び高速時に分けて所定時間
が自動的に設定されるようにしておいても良い。
【００６９】
次に実施の形態（１）に係るディジタル放送受信機におけるＣＰＵ９の行う表示領域切
換処理動作（１）を図５に示したフロ−チャ−トに基づいて説明する。なおこの処理は、
図３に示した処理を行った後に、ユ−ザのタッチパネル１６を介した入力操作に基づいて
行われるものである。
【００７０】
まずステップＳ２１では、タッチパネル１６からの位置指定信号を検出したか否かを判
断し、位置指定信号を検出したと判断すれば、ステップＳ２２に進む。
ステップＳ２２では、位置指定信号に含まれる画面上の座標デ−タに基づいて、指定さ
れたデ−タ放送番組上の位置を特定する表示内容特定処理を行い、ステップＳ２３に進む
。
【００７１】
ステップＳ２３では、特定されたデ−タ放送番組上の位置を略中心としてＢＭＬで指定
された元画像の縦横の表示画素数（縦１０８０×横１９２０）のデ−タから小型ディスプ
レイ１５の縦横の画面画素数（縦２４０×横４８０）のデ−タ分だけ切り出した画素デ−
タを間引き処理せずにＶＲＡＭに書き込む切り出し再描画処理を行い、ステップＳ２４に
進む。
【００７２】
ステップＳ２４では、ＶＲＡＭに書き込まれた描画デ−タを加算器７を介して小型ディ
スプレイ１５に出力して、特定された位置の番組内容を部分拡大表示させる処理を行い、
その後ステップ２５に進む。
【００７３】
ステップＳ２５では、所定時間が経過したか否かを判断し、所定時間が経過していない
と判断すれば、ステップＳ２４に戻り、一方、所定時間が経過したと判断すれば、ステッ
プＳ２６に進む。
【００７４】
ステップＳ２６では、デ−タ放送番組の番組内容全体を表示するように算出された間引
き係数で間引き処理された表示画素デ−タを再描画して、デ−タ放送番組の番組内容全体
を表示させる処理を行い、その後処理を終える。
【００７５】
次に、小型ディスプレイ１５に表示されたデ−タ放送番組の表示領域切換表示（２）に
ついて、図６に示した表示例に基づいて説明する。なお図６（ａ）、（ｂ）は、図４（ａ
）、（ｂ）に示したものと同じであるのでその説明を省略する。
【００７６】
表示領域切換表示（１）では、図４（ｂ）に示した指定位置の部分拡大表示の状態から
、所定時間が経過すると、図４（ａ）の画面表示に切り換えられるようになっていたが、
図６に示す表示領域切換表示（２）では、図６（ｂ）に示した指定位置の部分拡大表示の
状態から、図６（ａ）の画面表示に切り換えられるまでの間に、段階的に表示領域を広げ
た画面を表示させるようになっている。その表示状態を、図６（ｃ）〜（ｅ）に示してい
る。
【００７７】
このように段階的に表示領域を広げることで、図６（ａ）に示した画面の部分拡大の表
示では、内容が拡大されすぎた場合に、その内容に応じた読みやすい適切な大きさに順次
表示させることができ、また前記部分拡大された表示部分の周辺の内容も見やすく表示さ
れるようになっている。
【００７８】
次に実施の形態（１）に係るディジタル放送受信機におけるＣＰＵ９の行う表示領域切
換処理動作（２）を図７に示したフロ−チャ−トに基づいて説明する。但し、本表示領域
切換処理動作（２）は、図５におけるステップＳ２４とステップＳ２５との間に、ステッ
プＳ３１を挿入した構成となっており、以下ここでは相違点のみを説明することとする。
【００７９】
ステップＳ２４において、特定された位置の番組内容を部分的に拡大表示させる処理を
行い、その後ステップ３１に進む。
ステップＳ３１では、現在の部分拡大表示されているデ−タ放送番組の表示領域からデ
−タ放送番組の番組内容全体が表示される表示領域までの間で段階的に番組内容の表示領
域を広げるように、ＢＭＬで指定された元画像の表示画素サイズから所定画素サイズ（画
面画素サイズ以上）の画素デ−タを読み出し、設定された所定の間引き係数で間引き処理
し、間引き処理された表示画素デ−タをＶＲＡＭに書き込む再描画処理、及びＶＲＡＭに
書き込まれた再描画デ−タを加算器７を介して小型ディスプレイ１５に出力して、所定画
素サイズ領域の番組内容を表示させる処理を行い、その後ステップ２５に進む。
【００８０】
ステップＳ２５では、所定時間が経過したか否かを判断し、所定時間が経過していない
と判断すれば、ステップＳ３１に戻り、段階的に表示領域を広げる再描画処理、及び所定
画素サイズ領域の番組内容の表示処理を繰り返す。
【００８１】
一方、ステップＳ２５において、所定時間が経過したと判断すれば、ステップＳ２６に
進み、ステップＳ２６では、デ−タ放送番組の内容全体を表示するように算出された間引
き係数で間引き処理された表示画素デ−タを再描画して、デ−タ放送番組の内容全体を表
示させる処理を行い、その後処理を終える。
【００８２】
また、さらに別の表示例としては、上記したように段階的にデ−タ放送番組の表示領域
を広げるのではなく、予め指定された表示領域で表示するようにしても良い。なおこの場
合、設定画面を通じてユ−ザの好みの表示領域（例えば、３６０×６４０画素分等）とな
るように間引き係数が設定できるようにしても良く、ユ−ザにより設定された間引き係数
でＢＭＬで指定された元画像の表示画素数のデ−タが間引き処理された画素デ−タをＶＲ
ＡＭに書き込む再描画処理を行うようにすることも可能である。
【００８３】
次に、小型ディスプレイ１５に表示されたデ−タ放送番組の表示領域切換表示（３）に
ついて、図８に示した表示例に基づいて説明する。
表示領域切換表示（２）では、図６（ｂ）に示した指定位置の部分拡大表示の状態から
、図６（ａ）の画面表示に切り換えられるまでの間に、図６（ｃ）〜（ｅ）に示したよう
に段階的に表示領域を広げた画面を表示するようになっているが、表示領域切換表示（３
）では、段階的に表示領域を広げた画面を表示している途中（図６（ｃ）〜（ｅ）のいず
れかの状態）で、タッチパネル１６を介してタッチ操作が検出されると、現在表示してい
る表示領域サイズを保持し（図８（ａ）の状態）、表示領域サイズが保持されている状態
でさらに、タッチ操作が検出されると（図８（ｂ）の状態）、逆に表示領域を段階的に狭
めるようにして、もとの拡大表示（図６（ｂ）の状態）に戻る再描画を行うようになって
いる。その表示状態を、図８（ｃ）、（ｄ）に示している。
【００８４】
図８（ｂ）のように表示領域を保持することで、番組内容が確認しやすくなり、また図
８（ｃ）、（ｄ）のように表示領域を段階的に狭めることで、番組内容を再度部分拡大表
示させて、見過ごした小さな文字等の内容を簡単に再確認できるように表示されるように
なっている。
【００８５】
次に実施の形態（１）に係るディジタル放送受信機におけるＣＰＵ９の行う表示領域切
換処理動作（３）を図９に示したフロ−チャ−トに基づいて説明する。但し、本表示領域
切換処理動作（３）は、図７におけるステップＳ３１とステップＳ２５との間に、ステッ
プＳ４１〜Ｓ４５を挿入した構成となっており、以下ここでは相違点のみを説明すること
とする。
【００８６】
ステップＳ３１において、現在の部分拡大表示されているデ−タ放送番組の表示領域か
らデ−タ放送番組の内容全体が表示される表示領域までの間で段階的に番組内容の表示領
域を広げるように、ＢＭＬで指定された元画像の表示画素サイズから所定画素サイズ（画
面画素サイズ以上）の画素デ−タを読み出し、設定された所定の間引き係数で間引き処理
し、間引き処理された表示画素デ−タをＶＲＡＭに書き込む再描画処理、及びＶＲＡＭに
書き込まれた再描画デ−タを加算器７を介して小型ディスプレイ１５に出力して、所定画
素サイズ領域の番組内容を表示させる処理を行い、その後ステップ４１に進む。
【００８７】
ステップＳ４１では、タッチパネル１６へのタッチ操作が検出されたか否かを判断し、
タッチ操作が検出されたと判断すれば、ステップＳ４２に進む。
ステップＳ４２では、タッチ操作が検出されたときの表示領域サイズを保持する処理を
行い、ステップＳ４３に進む。
ステップＳ４３では、タッチパネル１６へのタッチ操作がさらに検出されたか否かを判
断し、さらにタッチ操作が検出されたと判断すれば、ステップＳ４４に進む。
【００８８】
ステップＳ４４では、現在の表示領域サイズから小型ディスプレイ１５の縦横の画面画
素数のデ−タ分だけ切り出した領域サイズまでの間で段階的に番組内容の表示領域を狭め
るように、ＢＭＬで指定された元画像の表示画素サイズから所定画素サイズ分（現在の表
示画素サイズ以下）の画素デ−タを読み出して所定の間引き係数で間引き処理し、間引き
処理された表示画素デ−タをＶＲＡＭに書き込む再描画処理、及び、ＶＲＡＭに書き込ま
れた再描画デ−タを加算器７を介して小型ディスプレイ１５に出力して、所定画素サイズ
分の領域の番組内容を表示させる処理を行い、その後ステップ２５に進む。
【００８９】
一方、ステップＳ４１又はステップＳ４３において、タッチ操作が検出されなかったと
判断すれば、ステップＳ２５に進む。
ステップＳ２５では、所定時間が経過したか否かを判断し、所定時間が経過していない
と判断すれば、ステップＳ４５に進む。
【００９０】
ステップＳ４５では、タッチ操作の検出回数を判断し、０回であると判断すればステッ
プＳ４１に戻り、１回と判断すればステップＳ４３に戻り、２回と判断すればステップＳ
４４に戻り、所定時間が経過するまで各処理を繰り返す。
【００９１】
また、さらに別の表示例としては、図８（ｄ）に示した状態から、さらに番組表示内容
の表示領域を狭めるように所定の間引き係数で間引き処理された表示画素デ−タを再描画
して、表示させるようにしても良く、このようにさらに拡大表示させることにより、例え
ば、元画像の表示画素サイズから画面画素数分だけの切り出しによる部分拡大表示でも見
ずらい小さな文字や細かな図柄などの内容を読み取りやすく表示させることができる。
【００９２】
上記実施の形態（１）に係るディジタル放送受信機によれば、ディスプレイ１５が小型
で、低解像度でも、デ−タ放送番組の番組内容全体を歪なく表示させることができる。し
たがって、視聴者は、小さくて低解像度の画面でも違和感を感じることなく番組内容全体
を視認することができる。
また、ＢＭＬで指定された元画像の表示画素数の縦横比と、小型ディスプレイ１５の画
面画素数の縦横比とが異なる場合でも、ＢＭＬで指定された元画像の表示画素数の縦横比
でデ−タ放送番組の内容全体を表示させることができる。
また、デ−タ放送番組の内容が表示されない余白領域を単色の塗りつぶし画像に設定す
ることができ、余白領域であることを視聴者に分かりやすく示すことができる。
【００９３】
また、番組内容を一部書き換えるための再描画が指示された場合に、ＢＭＬで指定され
ている元画像の文字や図形等の空間的なレイアウトを変えることなく、再描画することが
でき、番組内容の連動性を損わずに表示させることができる。
【００９４】
また、算出された間引き係数が整数分の１とならない場合、該間引き係数が整数分の１
に補正されるので、間引き処理しやすく、番組内容全体を歪なく表示させることができ、
画面画素を有効に使用することができる。
【００９５】
また、小型ディスプレイ１５に表示する文字のサイズをＢＭＬで指定された元画像の文
字サイズと間引き係数とに基づいて決定し、決定された文字サイズに該当する文字をフォ
ントＲＯＭから読み出し、読み出された文字が間引き処理せずに描画されるので、小型デ
ィスプレイ１５でも間引き処理による文字の部分欠落や潰れをなくすことができ、文字を
はっきりと表示させることができる。
【００９６】
また、小型ディスプレイ１５のサイズに合わせて上記機能を実現するための表示制御プ
ログラムを放送などによりダウンロ−ドして、表示制御プログラムを入れ替え、これらの
機能を容易に他のディジタル放送受信機においても実現させることもできる。
【００９７】
また、表示領域切換表示（１）では、小型ディスプレイ１５に番組内容全体が表示され
ている状態から、タッチパネル１６を介して指定された位置の番組内容を部分拡大して表
示させることができる。したがって、番組内容が見ずらい場合があっても、見たい位置を
指定するだけで、その部分を簡単に拡大表示させることができ、小型ディスプレイ１５で
あっても、番組内容を部分拡大して表示することで、その内容を見やすくすることができ
る。
【００９８】
また、表示領域切換表示（２）では、小型ディスプレイ１５の縦横の画面画素数分だけ
切り出した部分拡大の表示状態から番組内容全体が表示される状態まで段階的に番組内容
の表示領域を広げていくことができ、例えば、部分拡大の表示状態では、内容が拡大され
すぎた場合に、その内容に応じた読みやすい適切な大きさに表示させることができ、また
部分拡大された表示部分の周辺の内容も見やすくすることができる。
【００９９】
また、表示領域切換表示（３）では、ユ−ザは表示される領域サイズの切り換えを気に
することなく、保持された表示領域サイズで表示内容を読み取ることができ、番組内容が
十分に確認できなかった場合に繰り返し表示させるという操作が不要となる。
また、表示領域サイズが保持されている状態から、さらに小型ディスプレイ１５の縦横
の画面画素数分だけ切り出して表示する領域サイズまでの間で段階的に番組内容の表示領
域を狭めるので、番組内容を部分拡大して表示させることができ、例えば、内容をよく確
認せずに見過ごして、もう一度その内容を拡大した状態で見たい時など、再度番組内容を
拡大して表示させることができ、見過ごした内容をすぐに拡大して確認することができ、
使用者にとって便利なものとなる。
【０１００】
図１０は、実施の形態（２）に係るディジタル放送受信機の要部を概略的に示したブロ
ック図である。但し、図１に示したディジタル放送受信機と同一の機能を有する構成部品
には同一符号を付し、その説明を省略し、異なる機能を有するＣＰＵ９ａには異なる符号
を付すこととする。
【０１０１】
実施の形態（２）に係るディジタル放送受信機が、実施の形態（１）に係るディジタル
放送受信機と相違するのは、音声合成手段１７を備えている点にある。
ＣＰＵ９ａでは、ユ−ザによりタッチパネル１６を介してタッチされた文字列の認識処
理が行われるようになっている。音声合成手段１７は、認識された文字列の文字デ−タに
基づいて、音声デ−タを合成して、音声に変換して出力する処理を行うもので、ディジタ
ルシグナルプロセッサ、ディジタル／アナログ変換器等を含んで構成されている。
【０１０２】
実施の形態（２）に係るディジタル放送受信機におけるＣＰＵ９ａの行うデ−タ放送番
組の表示処理動作は、図３に示した表示処理動作と略同様なのでここではその説明を省略
する。
【０１０３】
実施の形態（２）に係るディジタル放送受信機におけるＣＰＵ９ａの行う表示領域切換
処理動作を図１１に示したフロ−チャ−トに基づいて説明する。なお、本表示領域切換処
理動作は、図９におけるステップＳ４１とステップＳ４２との間にさらにステップＳ５１
〜Ｓ５６を挿入した構成となっており、以下、ここでは相違点のみを説明することとする
。
【０１０４】
ステップＳ４１において、タッチパネル１６へのタッチ操作が検出されたと判断すれば
、ステップＳ５１に進む。
ステップＳ５１では、タッチ操作が検出された座標デ−タから表示された文字列を指定
したものか否かを判断し、表示文字列を指定したものではないと判断すれば、ステップＳ
４２に進む。一方、ステップＳ５１において、表示文字列を指定したものであると判断す
れば、ステップＳ５２に進む。
【０１０５】
ステップＳ５２では、指定された表示文字列の文字デ−タを認識し、音声合成手段１７
で、認識された文字デ−タから音声デ−タを合成させる処理を行い、ステップＳ５３に進
む。
ステップＳ５３では、合成された音声デ−タを音声に変換してスピ−カ１４より出力す
る音声出力処理（指定された文字列の読み上げ処理）を行い、ステップＳ５４に進む。
【０１０６】
ステップＳ５４では、音声出力中（指定された文字列の読み上げ中）に、タッチパネル
１６へのタッチ操作が検出されたか否かを判断し、タッチ操作が検出されたと判断すれば
、ステップＳ５５に進む。ステップＳ５５では、指定された文字列の読み上げ処理を中止
する音声出力中止処理を行い、ステップＳ２６に進む。
【０１０７】
一方、ステップＳ５４において、音声出力中にタッチ操作が検出されていないと判断す
れば、ステップＳ５６に進む。ステップＳ５６では、指定された文字列を読み上げる音声
出力処理が終了したか否かを判断し、終了していないと判断すれば、ステップＳ５４に戻
り、一方、終了したと判断すれば、ステップＳ２６に進む。
【０１０８】
上記実施の形態（２）に係るディジタル放送受信機によれば、タッチパネル１６を介し
て指定された表示文字列が音声合成されて出力されるので、ユ−ザは、表示されている番
組内容を読み取るために画面を注視する必要がなく、読み上げられる音声により指定され
た文字列の内容を把握することができ、特に車載用として採用された場合には、運転時の
安全性を向上させることができる。
【０１０９】
また、簡単な操作により指定された文字列の音声による読み上げを中止させることがで
き、例えば、音声による読み上げを開始したものの、間違った文字指定であった場合や、
不要な内容であった場合には、すぐに読み上げを中止させることができ、ユ−ザは聞きた
い内容のみを効率よく聞くことができる。
【図面の簡単な説明】
【０１１０】
【図１】本発明の実施の形態（１）に係るディジタル放送受信機の要部を概略的に示したブロック図である。
【図２】（ａ）は、受信したＢＭＬ中に規定されているデ−タ放送番組の表示画素デ−タの一例を説明するための説明図、（ｂ）は、（ａ）に示した表示画素デ−タを有するデ−タ放送番組を縦２４０×横４８０画素数を有する小型ディスプレイに表示させたときの表示例、（ｃ）は、（ａ）に示した表示画素デ−タを有するデ−タ放送番組を縦２７０×横４８０画素数を有する小型ディスプレイに表示させたときの表示例を示している。
【図３】実施の形態（１）に係るディジタル放送受信機におけるＣＰＵの行うデ−タ放送番組の表示処理動作を示すフロ−チャ−トである。
【図４】（ａ）、（ｂ）は小型ディスプレイに表示されたデ−タ放送番組の表示領域切換表示（１）を説明するための表示例を示した図である。
【図５】実施の形態（１）に係るディジタル放送受信機におけるＣＰＵの行う表示領域切換処理動作（１）を示すフロ−チャ−トである。
【図６】（ａ）〜（ｅ）は小型ディスプレイに表示されたデ−タ放送番組の表示領域切換表示（２）を説明するための表示例を示した図である。
【図７】実施の形態（１）に係るディジタル放送受信機におけるＣＰＵの行う表示領域切換処理動作（２）を示すフロ−チャ−トである。
【図８】（ａ）、（ｂ）は小型ディスプレイに表示されたデ−タ放送番組の表示領域切換表示（３）を説明するための表示例を示した図である。
【図９】実施の形態（１）に係るディジタル放送受信機におけるＣＰＵの行う表示領域切換処理動作（３）を示すフロ−チャ−トである。
【図１０】実施の形態（２）に係るディジタル放送受信機の要部を概略的に示したブロック図である。
【図１１】実施の形態（２）に係るディジタル放送受信機におけるＣＰＵの行う表示領域切換処理動作を示すフロ−チャ−トである。
【符号の説明】
【０１１１】
１  チュ−ナ
２  復調部
３  ＴＳデコ−ド部
４  音声デコ−ド部
５  映像デコ−ド部
６  ＢＭＬデコ−ド部
７  加算器
８  描画処理部
９、９ａ  ＣＰＵ
１０  ＲＯＭ
１１  ＲＡＭ
１２  モデム
１３  Ｉ／Ｏ
１４  スピ−カ
１５  小型ディスプレイ
１６  タッチパネル
１７  音声合成手段
【図１】
0004570634.tif 000002
【図２】
0004570634.tif 000003
【図３】
0004570634.tif 000004
【図４】
0004570634.tif 000005
【図５】
0004570634.tif 000006
【図６】
0004570634.tif 000007
【図７】
0004570634.tif 000008
【図８】
0004570634.tif 000009
【図９】
0004570634.tif 000010
【図１０】
0004570634.tif 000011
【図１１】
0004570634.tif 000012